(57)【特許請求の範囲】
【請求項１】
ポンプに取り付けられた押しつぶし可能な袋から液体を分配するためのディスペンサーであって、バックプレート、該バックプレートに関して開いた位置と閉じた位置との間を動くために、前記バックプレートに枢着されたカバー、前記押しつぶし可能な袋を収めると共に前記ポンプを支持するために、前記バックプレートにより保持された袋保持およびポンプ保持手段、および前記ポンプを作動させるために、前記カバーに枢着された圧力バーを含み、前記ポンプは透明で押しつぶし可能なドームを含むと共に、前記圧力バーは、前記カバーがその閉じた位置であるときに、前記透明で押しつぶし可能なドームの上に重なって位置する透明な窓を含み、これにより前記透明で押しつぶし可能なドームの内容物を前記透明な窓を通して見ることができる、ところのディスペンサー。
【請求項２】
請求項１に記載のディスペンサーであって、前記ポンプは前記袋の正面の表面に配置される、ところのディスペンサー。
【請求項３】
請求項１に記載のディスペンサーであって、前記袋保持およびポンプ保持手段は、前記バックプレートから前記カバーに向かって外方向に突出するシェルフ、および前記バックプレートから前記カバーに向かって外方向に突出し、前記シェルフの平面に対して実質的に垂直に位置する、向かい合った側部パネルを含む、ところのディスペンサー。
【請求項４】
請求項３に記載のディスペンサーであって、前記袋保持およびポンプ保持手段は、さらに、前記シェルフから上方向に突出する正面壁を含む、ところのディスペンサー。
【請求項５】
請求項４に記載のディスペンサーであって、ポンプ配置手段が前記袋保持およびポンプ保持手段の前記正面壁に配置され、前記ポンプは前記ポンプ配置手段との係合のために調節されたフィツトメントを含む、ところのディスペンサー。
【請求項６】
請求項４に記載のディスペンサーであって、前記正面壁は、前記シェルフに向かって伸長し、前記側部パネルの間で実質的に中央に置かれた細長い中央開口部を有する、ところのディスペンサー。
【請求項７】
請求項５または６に記載のディスペンサーであって、前記ポンプ配置手段は前記袋保持およびポンプ保持手段の前記正面壁に取り外し可能に保持される、ところのディスペンサー。
【請求項８】
請求項７に記載のディスペンサーであって、前記ポンプ配置手段は中央に形状付けられた開口部を有するプレートを含み、前記形状付けられた開口部は前記フィツトメントの形状と相補的な形状にされる、ところのディスペンサー。
【請求項９】
請求項１に記載のディスペンサーであって、前記圧力バーを受け止める、調節可能な止め部材が、前記袋保持およびポンプ保持手段上に配置され、前記カバーがその閉じた位置にあるときに、前記カバーに向かって突出する、ところのディスペンサー。
【請求項１０】
ポンプに取り付けられた押しつぶし可能な袋から液体を分配するためのディスペンサーであって、バックプレート、該バックプレートに関して開いた位置と閉じた位置との間を動くために、前記バックプレートに枢着されたカバー、前記押しつぶし可能な袋を収めると共に前記ポンプを支持するために、前記バックプレートに取り付けることができる袋保持およびポンプ保持手段、および前記ポンプを作動させるために、前記カバーに枢着された圧力手段を含み、前記ポンプは、前記押しつぶし可能な袋の底部エッジに隣接して、前記押しつぶし可能な袋の正面の表面上に取り付けられた、透明で押しつぶし可能なドームを含むと共に、前記圧力バーは、前記カバーがその閉じた位置であるときに、前記透明で押しつぶし可能なドームの上に重なって位置する透明な窓を含み、これにより前記透明で押しつぶし可能なドームの内容物を前記透明な窓を通して見ることができる、ところのディスペンサー。
【請求項１１】
請求項１に記載のディスペンサーであって、前記袋保持およびポンプ保持手段は、前記ポンプを収めるために、中央に配置されるデバイスを含む、ところのディスペンサー。
【請求項１２】
請求項１１に記載のディスペンサーであって、前記袋保持およびポンプ保持手段は、前記カバーがその閉じた位置にあるとき、外部からの取り外しに対して前記圧力バーを係合して止めるための突出する接合手段を保持する、ところのディスペンサー。
【請求項１３】
請求項１０に記載のディスペンサーであって、前記袋保持およびポンプ保持手段は、細長い中央開口部を有する正面壁、および前記正面壁から突出し、前記細長い中央開口部の両側に配置された、一組の向かい合う傾斜したランプを有し、該傾斜したランプのそれぞれは、前記ポンプを収めるためにへこんだ形状にされた領域を有する、ところのディスペンサー。
【請求項１４】
請求項１０に記載のディスペンサーであって、前記袋保持およびポンプ保持手段は、正面壁、および前記カバーがその閉じた位置にあるときに、前記正面壁から前記圧力バーに向かって突出して前記圧力バーを受け止める、少なくとも一つの調節可能な止め手段を有する、ところのディスペンサー。
【請求項１５】
請求項１３または１４に記載のディスペンサーであって、前記正面壁は、この正面壁に保持され、この正面壁から突出する保持手段、および該保持手段に収められ得る配置手段を有する、ところのディスペンサー。
【請求項１６】
ポンプに取り付けられた押しつぶし可能な袋から液体を分配するためのディスペンサーであって、バックプレート、該バックプレートに関して開いた位置と閉じた位置との間を動くために、前記バックプレートに枢着されたカバー、前記押しつぶし可能な袋を収めると共に前記ポンプを支持するために、前記バックプレートにより保持された袋保持およびポンプ保持手段、および前記ポンプを作動させるために、前記カバーに枢着された圧力バーを含み、前記ポンプは透明で押しつぶし可能なドームを含むと共に、前記圧力バーは、前記カバーがその閉じた位置であるときに、前記透明で押しつぶし可能なドームの上に重なって位置する透明な窓を含み、これにより前記透明で押しつぶし可能なドームの内容物を前記透明な窓を通して見ることができるようにし、また、前記カバーは、その下方エッジ近傍に側面ピボットバーを有し、前記バックプレートは、その底部エッジ近傍に、前記ピボットバーと取り外し可能に係合するためのフック状のコネクタを有し、前記袋保持およびポンプ保持手段は、その底部エッジ近傍に、前記ピボットバーと取り外し可能に係合するためのフック状のコネクタを有し、前記バックプレート、前記カバーおよび前記袋保持およびポンプ保持手段は、前記カバーがその開いた位置とその閉じた位置との間を動くために、前記カバーが前記バックプレートおよび前記袋保持およびポンプ保持手段に枢着されるように組み立てることができる、ところのディスペンサー。
【請求項１７】
請求項１、１０および１６のいずれか一項に記載のディスペンサーであって、前記カバーをその閉じた位置に止めるために、ラッチ手段が前記カバーおよび前記バヅクプレートに保持されるところ、のディスペンサー。
【請求項１８】
請求項１７に記載のディスペンサーであって、前記ラッチ手段は、前記バックプレートに滑動可能に収められる細長い作動機、および該細長い作動機の一方の端部と取り外し可能に係合するために、前記カバーの頂部エッジに隣接して前記カバーに収められる、可撓性のあるリップを含む、ところのディスペンサー。
【請求項１９】
ポンプに取り付けられた押しつぶし可能な袋から液体を分配するためのディスペンサーであって、前記押しつぶし可能な袋を収めるためのバックプレート、該バックプレートに関して開いた位置と閉じた位置との間を動くために、前記バックプレートに枢着されたカバー、および前記ポンプを作動させるために、前記カバーに枢着された圧力バーを含み、前記ポンプは、前記押しつぶし可能な袋の底部エッジに隣接して、前記押しつぶし可能な袋の正面の表面上に取り付けられた、透明で押しつぶし可能なドームを含むと共に、前記押しつぶし可能な袋が前記バックプレートに収められたときに、前記バックプレートの底部に隣接して配置され、また、前記圧力バーは、前記カバーがその閉じた位置であるときに、前記透明で押しつぶし可能なドームの上に重なって位置する透明な窓を含み、これにより前記透明で押しつぶし可能なドームの内容物を前記透明な窓を通して見ることができる、ところのディスペンサー。
【請求項２０】
ポンプに取り付けられた押しつぶし可能な袋から液体を分配するためのディスペンサーであって、バックプレート、該バックプレートに関して開いた位置と閉じた位置との間を動くために、前記バックプレートに枢着されたカバー、前記押しつぶし可能な袋を収めると共に前記ポンプを支持するための、前記バックプレートにより保持された袋保持およびポンプ保持手段、前記ポンプを作動させるために、前記カバーに枢着された圧力バー、および前記カバーを取り外し可能にその閉じた位置に保持するために、前記カバーおよび前記バックプレートにより保持されたラッチ手段を含み、前記ポンプは透明で押しつぶし可能なドームを含むと共に、前記圧力バーは、前記カバーがその閉じた位置であるときに、前記透明で押しつぶし可能なドームの上に重なって位置する透明な窓を含み、これにより前記透明で押しつぶし可能なドームの内容物を前記透明な窓を通して見ることができるようにし、また、前記ラッチ手段は、前記バックプレートにより滑動可能に保持された細長い作動機、および前記カバーの頂部エッジから突出し、前記カバーがその閉じた位置にあるときに、前記作動機の一方の端部の上に位置し、前記バックプレートと係合する、可撓性のあるリップを含む、ところのディスペンサー。
【請求項２１】
請求項２０に記載のディスペンサーであって、前記細長い作動機は、ディスペンサーの底部から接触できるように配置された第一の端部、および前記カバーがその閉じた位置にあるときに、前記可撓性のあるリップの下に位置する第二の端部を有し、前記第一の端部は傾斜したエッジ表面を有すると共に、前記可撓性のあるリップは相補的に傾斜したエッジ表面を有する、ところのディスペンサー。
【発明の詳細な説明】
【０００１】
【発明の属する分野】
【０００２】
本発明は、一般的に、液体を分配する装置に関し、とくに、液体用壁掛けディスペンサーに関する。
【従来の技術及び発明の解決しようとする課題】
【０００３】
石鹸、ローション、コンディショナーおよび一般的にそういった性質のその他の液体物質を、様々な方法で分配するための技術が知られている。これらには、自立ポンプ型および噴霧式の容器又はボトル、調理台取り付けポンプ型ディスペンサーおよび壁掛け型ディスペンサーが含まれる。
【０００４】
従来技術において知られている様々なものがある中で、本発明は、特に、壁掛けディスペンサーに関する発明である。
【０００５】
一般的に、この型の物質用壁掛けディスペンサーは、バックプレートおよびカバーを含み、カバーは、ディスペンサーを開いて、化粧室、洗面所、食べ物を扱うところなどのような場所でディスペンサーをほぼ永続的に取り付けたまま、交換可能なカートリッジ又は詰め替えパヅケージをディスペンサーに収納できるようにする。
【０００６】
近年非常に一般化してきた壁掛けディスペンサーの一つの一般的な型は、詰め替えカートリッジまたはパッケージを中に入れる、バッグ・イン・ボックスタイプ（bag-in-box  type）になっているものである。これらは一般的に、厚紙または同様の材料から成る箱に受けられる、物質を入れた押しつぶし可能な袋を含む。箱はディスペンサー内部のシェルフに挿入されることができ、そして、袋と流通性があり、アセンブリの物質分配ポンプを構成する内部のチューブを露出させるために、部分的に開けることができる。このチューブは、ポンプが作動すると、物質を使用者の手の上に分配するように、ディスペンサーの端に配置されたノズルをもつ。これらのディスペンサーは、一般的に、枢動可能な圧力バーを有するが、これは、使用者が手で触れてチューブ／ポンプに圧力をかけ、またはチューブを押し、または引くためのもので、これによりノズルを通じて物質を分配する。
【０００７】
この一般的な分配方法を含む従来特許の例は、Bartasevichの米国特許第５，２６５，７７２号、Bellの米国特許第５，４４３，２３６号、Bellの米国特許第５，４６５，８７７号、Searsの米国特許第５，６２５，６５９号およびSchroederの米国特許第５，９４４，２２７号およびその他多くのものの中に見ることができる。
【０００８】
この型の分配配置は全体的に良好であることがわかっているが、改良を加えることができる。
【０００９】
一つとして、ユニットをより使用者が使いやすいようにするために、カートリッジまたはリザーバーから実際に物質を押し出すために必要とされる力を少なくすることが望ましい。
【００１０】
その他に、ディスペンサーを空けなくても、詰め替えの交換が必要なときは確認ができることが望ましい。この目的のために、ディスペンサーの多くは、カバーを閉じたままで、袋の少なくとも一部分をディスペンサーの外側から見ることができるように、カバーに位置する覗き窓を有する。実施において困難なのは、いくつかの理由により、これらの覗き窓を通して、良好な視界を実際に得ることができないことである。一つは、通常利用されているポンプ機構のために、詰め替えユニットの物質がほとんどなくなっている場合に、正確に確認するほどに覗き窓をカバーの十分に下方に位置することが一般的にできないことである。すなわち、チューブ型のポンプは、袋またはカートリッジの下方に及び、このため覗き窓が袋の底部より上に位置する。もう一つは、ディスペンサーの内部は光が当たらず、このためディスペンサーの内部を見ることが非常に困難なことである。最後に、空なとき、袋はつぶれたりしわになったりする傾向があり、このため中身の視界がさらに悪くなる。すなわち、覗き窓の最適な条件は、比較的平らな表面に置くことだが、このことは、一度袋が空になってくると不可能である。
【００１１】
これらのディスペンサーの多くは公共または商業上の建物に配置されており、メンテナンスの人々により再充填されるため、ディスペンサーを開くことなく、メンテナンスの人が一見して再充填が必要かどうかを確認することが手段を提供することにより、時間が非常に節約され、このためコストが非常に節減される。
【００１２】
この型のディスペンサーに、時々、異なった物質で充填することも行われる。すなわち、ディスペンサーに、あるときは石鹸を入れ、またあるときには例えばローションなどを入れる。さらに、異なった物質が入った複数のディスペンサーを互いに近くに配置することもある。ディスペンサーのポンプ機構の作動により受ける物質を、エンド・ユーザが正確に知ることが望ましいため、与えられたディスペンサーが、そのディスペンサーに、意図された詰め替えのみにより充填され、適当な物質が入ることを確実にすることが望ましい。従って、どのディスペンサーにも、正しい詰め替えのみが配置されることが望ましい。
【００１３】
また、バッグ・イン・ボックスタイプの交換カートリッジのために、箱は必然的に、一定の空間を占める立方体のものとなる。箱がかなり堅い性質であるため、これらの交換カートリッジを大量に輸送するとき、輸送コンテナのかなりの空間が無駄になっていることが分かっており、箱を少なくして、流体物質の押しつぶし可能な袋だけを積み込むことができるようにして、与えられた大きさのコンテナ内に、実際の物質を相当多量に積み込むことができるようにすることが望ましいと考えられている。このことはまた、ディスペンサー内の空間をより効率的に利用することができるようにもする。
【００１４】
このため、ディスペンサーのバックプレートと共に、袋保持およびポンプ保持手段を提供し、これにより袋を（これはもちろん固定された形状のないものだが）それ自身詰め替えカートリッジとして利用することができることがわかっている。
【００１５】
また、これらのディスペンサーが大量生産されているので、容易に、また経済的に組み立てることができるディスペンサーを提供することが望ましいことは明らかである。この目的のために、独自のヒンジ構造を提供することにより、ベースカバーおよび袋保持およびポンプ保持手段は、素早くかつ容易に、互いにスナップ止めされ、一度組み立てられて壁に取り付けられると、破壊に耐えるものになることがわかった。
【００１６】
最後に、ディスペンサーが全体的に耐久力があり、壁に安全に固定されると、各再充填作業後に利用できる物質の量が増加することが望ましいと考えられる。在来のチューブ／ポンプの配置では、ディスペンサーの内部空間のかなりの割合がポンプ機構を収納するために占められている。このため、実質的にディスペンサー内部のすべてが貯蔵物質に利用することができるように、袋の正面下方の表面に配置される、よりコンパクトなポンプ機構を提供することが望ましいと考えられている。
【課題を解決するための手段】
【００１７】
側壁および正面壁がディスペンサーのベースまたは壁掛けプレートに取り付けられてそこから突出しており、周囲に支持する箱を与える必要なく、押しつぶし可能な物質の箱を収納することができる袋保持およびポンプ保持手段により形成されるポケットを有するディスペンサーを提供することにより、交換カートリヅジのより効率的な積み込みおよび取り扱いが達成されることがわかった。このような袋保持およびポンプ保持手段は、また、ディスペンサーが開かれ、または閉じるときに、挟まること、穴があくことがないように袋を保護するために与えられる。
【００１８】
ディスペンサー内において、通常、伸長するチューブ／ポンプにより占められる空間は減少させることが可能であり、このことにより、詰め替え一つ当たり、より多量を貯蔵することにより、ディスペンサー全体をより効率的にするために、袋の正面の表面において、袋の底部の近傍に固定された押しつぶし可能なドーム状のポンプを備えることにより、ディスペンサー内で同じ量でより寸法の小さい詰め替えを配置することができることも分かった。
【００１９】
さらに、袋の底部に隣接した、この性質のポンプを利用した透明で押しつぶし可能なドームを備えると共に、カバーに枢着した圧力バーに、カバーがその閉じた位置であるときに、透明で押しつぶし可能なドームの上に重なって位置する透明な窓を備えることにより、透明で押しつぶし可能なドームの内容物を透明な窓を通して見ることができ、従ってカバーを開くことなく、袋に残った物質の量を確認することができ、袋の交換が必要かどうかを確認することができるので、詰め替えの状態の確認の容易さおよび正確さを促進することができることがわかった。この特徴は、また、石鹸、ローション等であると確認するために色分けされた場合に、使用者が分配される物質を見ることができるようにする利点を有することもわかっている。
【００２０】
また、このような押しつぶし可能なドーム状のポンプを利用すると、ポンプを作動させるための圧力が減少する。
【００２１】
備えられたディスペンサーの誤った充填はまた、正しい詰め替えカートリッジだけが適当なディスペンサーに配置されることを確実にすることができるように、相補的な輪郭を有する詰め替えのポンプ上に、形状付けられた開口部およびノズルをもつプレートを備えることにより、避けることができることもわかった。この配置はまた、安全で正確なポンプの配置を保証する。
【００２２】
従って、説明した特徴の、改良された液体用壁掛けディスペンサーの製造が、本発明の主要な目的となり、他の目的は、添付の図面を考慮して考察されて説明される、次の簡単な説明に基づき、さらに明らかになろう。
【発明の実施の形態】
【００２３】
図１から図４に、バックプレート２０、カバー３０およびプッシュバーまたは圧力バー４０を含む、改良されたディスペンサーが示され、一般的に符号１０で示されている。
【００２４】
カバー３０は、ヒンジ２１によって、後述するような独自の態様でバックプレート２０に枢着され、図１から図３に示すような閉じた位置に止めることができる。カバー３０は、もちろん、物質のカートリッジまたは袋を、必要なときに交換することができるように、図８に部分的に示したように、ヒンジ２１により、バックプレート２０から離れるように回転させることもできる。
【００２５】
図１、図２および図７に示したように、カバー３０はその下方エッジに隣接した開口部３０ａを有し、圧力バー４０は、この開口部内に収められ、ヒンジ４１のところでカバーの内部へと枢動する。この目的のために、図１２に示したように、圧力バー４０は、スタブシャフト４４ａ、４４ａを末端とする内部壁４４を有し、カバーは、圧力バーが定位置にスナップ止めされ得るように穴があけられた支持バー３２を有する。このように枢着された圧力バーは、使用者が手首に近い部分で触れることにより、カバー３０が閉じた位置にあるとき、バックプレート２０に向かって、またはバックプレート２０から離れるように動くことができる。このような動きは、後述のように、使用者の手の上に投与される内容物を、あらかじめ決められた量にする。
【００２６】
圧力バー４０は、また、本発明の好適な実施例において、後に詳述するような目的のために、クリアで透明な材料から製造され、凹状壁４２ａを末端とする、押し下げられた切頭円錐状部分（frusto-conical portion）４２を有する。
【００２７】
所望ならば、圧力バー４０は、使用者の手首に近い部分が触れるために、オフセット領域４３を設けることもできる。
【００２８】
特に図５、図８、図９および図１２に、カバー３０とバックプレート２０との相互連結のために、袋保持およびポンプ保持手段８０が設けられているのが示されている。この袋保持およびポンプ保持手段は、外周壁８１および正面壁８２を含む。例えば、図８、図９からわかるように、この袋保持およびポンプ保持手段８０がバックプレート２０にスナップ止めされると、これは分配されるべき物質が入った袋Ｂ（図７参照）並びにポンプ６０を支持して配置するための手段を収納するためのポケヅトを形成するのに役立つ。所望ならば、袋保持およびポンプ保持手段８０は、また、バックプレートと一体的に形成されることが可能である。
【００２９】
さらに、図７、図８および図９には、続いて説明するように、正面壁８２において、ポンプ機構を収めるための開口部を形成するように、袋保持およびポンプ保持手段８０の正面壁８２が、下方向に細くなっていくエッジ表面８２ａおよび下方向に伸長する、連続した垂直エッジ表面８２ｂにより形成される中央開口部を有するのが示されている。
【００３０】
特に次の図９に、ウェッジ型の外観を形成するように、正面壁８２のそれぞれの部分から突出する２つの突出ランプ（ramp）８３が示され、これらの突出ランプ８３は、袋保持およびポンプ保持手段８０の正面壁から離れるように外方向に傾斜している。これらのランプは、その底部の端部に隣接して、互いに弓形のへこんだ領域８３ａを有する。
【００３１】
ランプ８３はそれぞれの中に細長いスロット８３ｃをもち、外方向に突出して正面壁８２から外に向かって突き出た、スロットのあるリブ８３ｂを末端とする。
【００３２】
また、正面壁８２の上に、その末端端部において、それぞれ可動止め部材８４ａを受ける、突出した調節ポスト８４も位置している。
【００３３】
図３、図４、図５、図６、図８および図１２に、ディスペンサーの主要な構成要素を、どのようにして容易に組み立てることができるかが示されている。このように、カバー３０は、底部エッジに隣接する、固定された一体的なクロスバー３３を有し、一方バックプレート２０は、一対の間隔が空けられたフック状の部材２２を底部エッジに有している。これらのフック部材は、バックプレート２０およびカバー３０を相互連結するように、クロスバーを単にスナップ止めする。
【００３４】
同様に、袋保持およびポンプ保持手段８０は、その下方エッジにおいて、クロスバー３３と係合するＣ形部材８５を有しており、加えて、袋保持およびポンプ保持手段８０は、側壁８１に付属し、バックプレート２０の壁の収納ノッチ２３、２３にスナップ止めされるロックラグ８６、８６を有する。このように組み立てるとき、在来のヒンジピンのようなものはなく、ディスペンサー１０はほとんど勝手にいじれないようになっていることに気がつくだろう。
【００３５】
詰め替えまたはカートリッジアセンブリの説明のために図７、図８および図９に戻ると、押しつぶし可能な袋Ｂの下方端部に隣接した正面の表面上で、ポンプ６０が、フィツトメント６３により、押しつぶし可能な袋Ｂに取り付けられているのが示されている。このポンプは、フィットメント６３を通じて、袋Ｂの内部と流通し、大気との連通のために、ポンプ６０の本体６１から突出する分配ノズル６２を有する。本体６１において、押しつぶし可能な袋Ｂに詰まった物質を受け入れるための室を形成するように、可撓性物質から成る、押しつぶし可能で透明なドーム６１ａが、また、流体を通さない状態で本体６１に取り付けられている。例えば、ディスペンサーが図７に示すような閉じた位置にあるカバー３０を有する場合、圧力バー４０の切頭円錐状部分４２のクリアで透明な凹状壁の窓４２ａは、押しつぶさない位置において、その凹状の表面がドーム６１ａの凸状の表面と組み合って、押しつぶし可能なドーム６１ａの上にかぶさる。
【００３６】
ポンプアセンブリ６０は、また、フィツトメント６３およびノズル６２の近傍に位置する適当なバルブ（図示せず）を含み、フィツトメント６３のバルブは、通常袋Ｂに向かって開いており、ノズル６２のバルブは通常閉じている。圧力バー４０の作動によるドーム６１ａのへこみまたは押しつぶしは、フィツトメント６３のバルブを閉めるように圧力をかけ、ノズル６２のバルブを開かせ、ドーム６１ａおよび本体６１により形成される室に含まれる物質をノズル６２を通して放出する。弾力のあるドーム６１ａへの圧力を取り外すると、ドーム６１ａは広がった状態に戻り、室が戻るように、バルブ作動が逆になる。
【００３７】
このように、バックプレート２０に向かう、この圧力バー４０の動きは、切頭円錐状部分４２にドームを押しつぶさせ、ドームは袋保持およびポンプ保持手段８０に支持され、次にフィツトメント６３のバルブを閉じて、ノズル６２のバルブを開き、ノズル６２から、ある量の物質を使用者の手に放出させることは明らかだろう。
【００３８】
圧力バー４０への圧力が取り除かれると、圧力バーは図７の位置に戻り、ノズルのバルブが閉まり、フィットメント６３のバルブが開き、本体６１とポンプ６０から成る押しつぶし可能なドーム６１ａとにより形成される室を再充填するために、物質を袋Ｂから引き出すのに十分な吸引を与えることが容易に理解されるだろう。
【００３９】
本発明のディスペンサーの組み立てにおいて、キープレート５０が備えられていることが分かるだろう。このキープレート５０は、特に図８および図９に示したように、溝をつけたリブ８３ｂ、８３ｂの溝８３ｃ、８３ｃ内に適合するような大きさである。キープレート５０は、一般的に平坦な片で、一方の面から伸長する突起５２をもち、そこを通る開口部５２ａをもつ。ノズル６２は、キーに対応するように、互いにあらかじめ決められた配置で間隔が空けられて配置された、一対の突出するリブ６２ａを有することが分かるだろう。さらに、キー５０の突起５２にある開口部５２ａは、例えば図８を見ればわかるように、ノズルが開口部５２ａにぴったり適合するように、相補的な形状を有していることが分かるだろう。
【００４０】
様々な製品がこの型のディスペンサーから分配されるため、与えられた製品を分配する使用者は、その製品を含む袋がノズル６２と相補的な形状を与えられ、この型において、キープレート５０を変更しなければ、誤った詰め替えカートリッジまたは袋Ｂをディスペンサーに挿入することができないように、キープレート５０の形状が与えられることが意図されている。この相補的な形状は、また、ドームが押しつぶされたとき、ランプ８３の弓形のへこみ８３ａに沿って、ポンプ６０を正確で確実に配置し、そこに支持することを確実にする。
【００４１】
先に、調節ポスト８４および交換可能な止め部材８４ａについて言及した。これらは袋保持およびポンプ保持手段８０の前方壁８２の前方表面から突出し、ディスペンサーのカバーが閉じた位置にあるときに、圧力バー４０がバックプレート２０に向かって押されると、どこかの点で、止め部材８４ａと出会うか、または係合することが明らかであろう。このことは、圧力バー４０が内方向に向かってバックプレート２０に押され得る程度を調節し、そのことにより、ドーム６１ａに与えられる陥没量が調節される。止め部材８４ａは交換可能であり、止め部材のために選択された長さにより、押しつぶし可能なドーム６１ａの陥没量を調節することができ、このため圧力バーのそれぞれのへこみにより分配される製品の量を調節することができることが理解されるだろう。
【００４２】
図１２に、さらなる安全特性を示す。上述のように、圧力バー４０は、スタブシャフト４４ａにより、支持バー３２にスナップ止めすることにより、単にカバー３０に枢着されているのみである。例えば図１に示したように、カバーが閉じた位置にある場合、圧力バーは、容易に外されることが明らかだろう。しかし、袋保持およびポンプ保持手段８０は、正面壁８２から突出する、一対の向かい合わされ、間隔があけられたＬ字型のリブ８７を有する。これらのリブの間の間隔は、カバーが閉じられたときに、リブ８７のレッグ８７ａが壁４４に沿って配置され、圧力バー４０が外側から外れるのを防ぐようになっている。
【００４３】
簡単な、特徴のあるラッチの配置もまた、カバー３０の閉じた位置において、カバー３０を止めるために備えられる。バックプレート２０は、図４、図５、図１０、図１１および図１２に示すように、滑動可能な作動機２５を保持する。この作動機は、カバーが閉じられたときに、ディスペンサー１０の底部から接触可能な下方端部を有する。その上方端部は、傾斜した表面２５ａを有する。カバー３０は、頂部において、前縁上に、対をなす傾斜した表面３５ａを有する、可撓性のあるリップ３５を有する。このリップは、作動機２５（図１０参照）の向かい合った端部に位置し、バックプレート２０との係合のための係合ウェッジ３５ｂを有する。このように、カバーが閉じられると、ウェッジ３５ｂはその場所にスナップ止めされ、カバー３０をバックプレート２０にロックする。滑動可能な作動機２５を上方向に動かすと、傾斜した表面２５ａおよび３５ａがバックプレート２０との係合を外れて、可撓性のあるリップ３５と係合し、このため、カバー３０のロックが外れる。
【図面の簡単な説明】
【００４４】
【図１】  本発明の新規な液体ディスペンサーの斜視図である。
【図２】  本発明の液体ディスペンサーの正面図である。
【図３】  本発明の液体ディスペンサーの側面図である。
【図４】  本発明の液体ディスペンサーの背面図である。
【図５】  図３の５−５線に沿った本発明の液体ディスペンサーの断面図である。
【図６】  図３の６−６線に沿った本発明の液体ディスペンサーの断面図である。
【図７】  図２の７−７線に沿った本発明の液体ディスペンサーの断面図である。
【図８】  本発明の液体ディスペンサーのバックプレートの部分的な拡大斜視図およびカバーの部分斜視図である。
【図９】  ノズル、キープレートおよびポンプを示す分解図である。
【図１０】  ラッチ機構を示す、図４の１０−１０線に沿った部分的な断面図である。
【図１１】  図１０の１１−１１線に沿った断面図である。
【図１２】  バックプレートと、カバーと、圧力バーと、袋保持およびポンプ保持手段との間のヒンジによる相互連結を示す分解図である。
【符号の説明】
【００４５】
１０・・・本発明のディスペンサー
２０・・・バックプレート
３０・・・カバー
４０・・・圧力バー
４２ａ・・透明な窓
６０・・・ポンプ
６１・・・透明なドーム
８０・・・袋保持およびポンプ保持手段
Ｂ・・・押しつぶし可能な袋
【図１】
0004338871.tif 000002
【図２】
0004338871.tif 000003
【図３】
0004338871.tif 000004
【図４】
0004338871.tif 000005
【図５】
0004338871.tif 000006
【図６】
0004338871.tif 000007
【図７】
0004338871.tif 000008
【図８】
0004338871.tif 000009
【図９】
0004338871.tif 000010
【図１０】
0004338871.tif 000011
【図１１】
0004338871.tif 000012
【図１２】
0004338871.tif 000013